(57)【要約】【課題】  単一の操作子の操作に基づいて一括して有効又は無効になる複数の設定の状態をユーザに判別し易くさせる。【解決手段】  ベースパートの楽音に関わる設定と、コードの構成音に対応する鍵の一部を押鍵するだけで所望するコードが得られるようにする設定と、鍵の押鍵状態を離鍵後も維持する設定とを、一括して有効又は無効にするためにユーザにより操作されるEASYボタン２６を設けると共に、EASYボタン２６に対応してＬＥＤ２６ａを設けるようにし、前記３つの設定が全て有効である場合にＬＥＤ２６ａを点灯し、そうでない場合にＬＥＤ２６ａを消灯する。これにより、前記３つの設定が有効であるか否かをユーザに容易に知らせることができる。【選択図】  図２
2010204695.tif 000002
【特許請求の範囲】
【請求項１】
演奏に関わる複数の設定を一括して有効又は無効にするためにユーザにより操作される単一の一括設定用操作子と、
前記複数の設定を個別に有効又は無効にするためにユーザにより操作される複数の個別設定用操作子と、
前記複数の設定が有効であるか否かを判定する判定手段と、
前記判定手段による判定結果に基づいて、前記複数の設定の全てが無効であるか否かを表示する単一の一括設定表示手段と、
前記複数の設定が有効であるか否かを個別に表示する複数の個別設定表示手段とを有することを特徴とする電子楽器。
【請求項２】
自動伴奏を行う自動伴奏手段と、
前記自動伴奏手段による自動伴奏を行うか否かを選択するためにユーザにより操作される自動伴奏選択用操作子と、
複数の鍵の一部に対して設定されたコード判別領域でのユーザによる鍵操作に基づいてコード判別を行うコード判別手段とを更に有し、
前記複数の設定は、少なくとも自動伴奏を行うことが選択されていない場合の、前記コード判別領域でのユーザによる鍵操作に対応する処理に関わる設定であることを特徴とする請求項１に記載の電子楽器。
【請求項３】
前記複数の設定は、
前記コード判別領域として設定された鍵のうち、コードの構成音に対応する鍵の一部を押鍵するだけで、所望するコードが得られるようにする設定を有効又は無効にする第１の設定と、
前記コード判別領域として設定されている鍵の押鍵状態を、その鍵を離鍵した後も維持する設定を有効又は無効にする第２の設定と、
前記自動伴奏を行うことが選択されていない場合には、前記コード判別領域として設定されている鍵の押鍵に基づいて判別されたコードの根音又は最低音をベース音色で演奏する設定を有効又は無効にする第３の設定とのうち、少なくとも何れか２つを含むことを特徴とする請求項２に記載の電子楽器。
【請求項４】
前記一括設定表示手段は、前記判定手段により、前記複数の設定の全てが無効であると判定された場合に消灯し、前記判定手段により、前記複数の設定の全てが無効でないと判定された場合に点灯する発光手段であることを特徴とする請求項１〜３の何れか１項に記載の電子楽器。
【発明の詳細な説明】
【技術分野】
【０００１】
本発明は、電子楽器に関し、特に、ユーザが演奏に関わる設定を行うために用いて好適なものである。
【背景技術】
【０００２】
従来から、演奏に関わる複数の設定を、単一の操作子の操作により一括して有効及び無効にする電子楽器が提案されている（特許文献１を参照）。
【先行技術文献】
【特許文献】
【０００３】
【特許文献１】特公平７-１９１５２号公報
【発明の概要】
【発明が解決しようとする課題】
【０００４】
しかしながら、従来の電子楽器では、単一の操作子の操作に基づいて一括して有効又は無効になる複数の設定の状態をユーザが判別しづらいという問題点があった。
本発明は、このような問題点に鑑みてなされたものであり、単一の操作子の操作に基づいて一括して有効又は無効になる複数の設定の状態をユーザに判別し易くさせることを目的とする。
【課題を解決するための手段】
【０００５】
本発明の電子楽器は、演奏に関わる複数の設定を一括して有効又は無効にするためにユーザにより操作される単一の一括設定用操作子と、前記複数の設定を個別に有効又は無効にするためにユーザにより操作される複数の個別設定用操作子と、前記複数の設定が有効であるか否かを判定する判定手段と、前記判定手段による判定結果に基づいて、前記複数の設定の全てが無効であるか否かを表示する単一の一括設定表示手段と、前記複数の設定が有効であるか否かを個別に表示する複数の個別設定表示手段とを有することを特徴とする。
【発明の効果】
【０００６】
本発明によれば、演奏に関わる複数の設定が、有効であるのか、それとも無効であるのかをユーザに判別し易くさせることができる。
【図面の簡単な説明】
【０００７】
【図１】本発明の実施形態を示し、電子楽器の概略構成の一例を示したブロック図である。
【図２】本発明の実施形態を示し、操作パネルに設けられた操作子の一部の外観構成の一例を示した図である。
【図３】本発明の実施形態を示し、第１のAUTOBASSボタン、第２のAUTOBASSボタン、ＭＣＳボタン、MEMORYボタン、及びEASYボタンの操作状態と、これらのボタンに対応するＬＥＤの点灯状態との関係を示す図である。
【図４】本発明の実施形態を示し、メインルーチンの処理の一例を説明するフローチャートである。
【図５】本発明の実施形態を示し、イベント処理の一例を説明するフローチャートである。
【図６】本発明の実施形態を示し、パネル処理の詳細の一例を説明するフローチャートである。
【図７】本発明の実施形態を示し、Easy処理の詳細の一例を説明するフローチャートである。
【図８】本発明の実施形態を示し、Song処理の詳細の一例を説明するフローチャートである。
【図９】本発明の実施形態を示し、Style処理の詳細の一例を説明するフローチャートである。
【図１０】本発明の実施形態を示し、Regist処理の詳細の一例を説明するフローチャートである。
【図１１】本発明の実施形態を示し、Ｋｅｙ処理の詳細の一例を説明するフローチャートである。
【図１２】本発明の実施形態を示し、コード処理の詳細の一例を説明するフローチャートである。
【図１３】本発明の実施形態を示し、時変数処理の詳細の一例を説明するフローチャートである。
【発明を実施するための形態】
【０００８】
次に、図面を参照しながら、本発明の一実施形態について説明する。
図１は、本実施形態の電子楽器の概略構成の一例を示したブロック図である。
図１において、電子楽器は、中央処理装置（以下、ＣＰＵと称する）１と、フラッシュメモリ２と、ランダムアクセスメモリ（以下、ＲＡＭと称する）３と、外部記憶媒体装着部４と、外部入出力用インターフェース部５と、信号バス６と、キースキャン回路７と、鍵盤８と、パネルスキャン回路９と、操作パネル１０と、楽音発生部１１と、波形フラッシュメモリ１２と、デジタル／アナログ変換部（以下、Ｄ／Ａ変換部と称する）１３と、アナログ信号処理部１４と、パワーアンプ１５と、スピーカ部１６とを有している。
【０００９】
図１に示すように、ＣＰＵ１、フラッシュメモリ２、ＲＡＭ３、キースキャン回路７、パネルスキャン回路９、楽音発生部１１、外部記憶媒体装着部４、及び外部入出力用インターフェース部５は、それぞれ信号バス６に接続され、相互に通信することが可能である。
【００１０】
（鍵盤）
鍵盤８は、複数の鍵と、それら複数の鍵の各々に対応して設けられた複数の鍵スイッチとを有している。電子楽器のユーザは、前記複数の鍵を押鍵及び離鍵して所望の演奏を行う。なお、本実施形態の電子楽器では、コードを判別するために押鍵及び離鍵されるコード判別領域が、前記複数の鍵の一部に対して設定されている。
（キースキャン回路）
キースキャン回路７は、鍵盤８の各鍵スイッチのスキャン処理を行うためのものである。
【００１１】
（操作パネル）
操作パネル１０は、各種操作子や表示装置を有している。本実施形態の電子楽器では、表示装置として、例えばＬＣＤ（Liquid Crystal Display；液晶ディスプレイ）が設けられている。このＬＣＤは、各種操作子の選択状態や設定状態等を表示する。
【００１２】
前記操作子としては、電子楽器に電源を供給するための電源スイッチや、電子楽器の設定状態を初期値にリセットするためのリセットスイッチや、テンポや音量を設定するためのダイアルや、音色を選択するための音色選択スイッチが設けられている。
【００１３】
また、前記操作子として、レジストレーションの記憶を行うためのRegist設定スイッチや、設定したレジストレーションを呼び出すためのRegistボタンが設けられている。なお、レジストレーションとは、ユーザが鍵盤８を押鍵及び離鍵して行う演奏時の設定を言う。ここで、演奏時の設定は、操作パネル１０や鍵盤８の操作内容に基づいて行われるものであり、例えば、音色、伴奏、テンポ、及び演奏効果（音色に変化を与えること）等が設定項目となる。また、本実施形態の電子楽器では、前記Registボタンが複数設けられており、これら複数のRegistボタンに対して１つずつレジストレーションを設定することが可能になっている。
【００１４】
さらに、前記操作子として、外部記憶媒体装着部４に装着された外部記憶媒体にデータを書き込む指示を行うためのディスク書込ボタン（スイッチ）と、外部記憶媒体装着部４に装着された外部記憶媒体からデータを読み込む指示を行うためのディスク読込ボタン（スイッチ）とを含むディスク操作スイッチが設けられている。
【００１５】
また、前記操作子として、自動伴奏データを呼び出すための自動伴奏呼び出しスイッチや、自動伴奏スイッチにより呼び出された自動伴奏データに基づく自動伴奏を開始するための自動伴奏開始スイッチも設けられている。さらに、電子楽器を動作可能にするための電源スイッチ等も設けられている。ここで、自動伴奏とは、鍵盤８の押鍵及び離鍵に応じたメロディパート（演奏音）を発音させて行うマニュアル演奏に対する伴奏を電子楽器が自動で行うことを言う。
【００１６】
この他、前記操作子として、自動伴奏及びリズム等から構成される演奏スタイルを選択するためのStyleボタンや、予め演奏内容が設定されている楽曲（ソング）を選択するためのSongボタンが設けられている。
【００１７】
そして、本実施形態の電子楽器には、前記操作子として、図２に示すように、リズム選択ボタン群２１と、第１及び第２のAUTOBASSボタン２２、２３と、ＭＣＳ（Music Chord System）ボタン２４と、MEMORYボタン２５と、EASYボタン２６と、INTROENDINGボタン２７と、STATSTOPボタン２８と、RHYTHMTEMPOボタン２９とが設けられている。
【００１８】
リズム選択ボタン群２１は、リズムを選択するための複数のボタンから構成されている。図２に示すように、本実施形態の電子楽器では、「BIG BAND」、「COUNTRY」、「MARCH」、「EASY LATIN」、「BASIC(4/4)」、及び「BASIC(3/4)」が選択可能となっている。
第１のAUTOBASSボタン２２は、前記自動伴奏を行うことが選択されている場合には、自動伴奏のベースパートの演奏を行う設定を有効又は無効にするためにユーザにより操作される。一方、前記自動伴奏を行うことが選択されていない場合には、前記コード判別領域として設定されている鍵の押鍵に基づいて判別されたコードのルート（根音）をベース音色で演奏する設定を有効又は無効にするためにユーザにより操作されるスイッチである。
【００１９】
前記自動伴奏を行うことが選択され、且つ第１のAUTOBASSボタン２２の裏面側に設けられたＬＥＤ２２ａが消灯しているときに第１のAUTOBASSボタン２２が操作されると、自動伴奏のベースパートの演奏を行う設定を有効にすると共に、ＬＥＤ２２ａを点灯する。
一方、前記自動伴奏を行うことが選択され、且つＬＥＤ２２ａが点灯しているときに第１のAUTOBASSボタン２２が操作されると、自動伴奏のベースパートの演奏を行う設定を無効にすると共に、ＬＥＤ２２ａを消灯する。
【００２０】
また、前記自動伴奏を行うことが選択されず、且つＬＥＤ２２ａが消灯しているときに第１のAUTOBASSボタン２２が操作されると、前記コード判別領域として設定されている鍵の押鍵に基づいて判別されたコードのルート（根音）をベース音色で演奏する設定を有効にすると共に、ＬＥＤ２２ａを点灯する。
一方、前記自動伴奏を行うことが選択されず、且つＬＥＤ２２ａが点灯しているときに第１のAUTOBASSボタン２２が操作されると、前記コード判別領域として設定されている鍵の押鍵に基づいて判別されたコードのルート（根音）をベース音色で演奏する設定を無効にすると共に、ＬＥＤ２２ａを消灯する。
【００２１】
このように、本実施形態の電子楽器では、前記自動伴奏のベースパートの演奏を行う設定を有効にするか否か、又は前記コード判別領域として設定されている鍵の押鍵に基づいて判別されたコードのルート（根音）をベース音色で演奏する設定が有効であるか否かを、ＬＥＤ２２ａの点灯状態により、ユーザに報知するようにしている。また、電子楽器の内部では、この設定が有効であるか否かを、例えば、ＲＡＭ３等に設定されるフラグを用いて判別するようにしている。
なお、以下の説明では、必要に応じて、ＬＥＤが点灯する場合の操作子の操作を「オン」と称し、ＬＥＤが消灯する場合の操作子の操作を「オフ」と称する。
【００２２】
第２のAUTOBASSボタン２３は、前記自動伴奏を行うことが選択されている場合には、自動伴奏のベースパートの演奏を行う設定を有効又は無効にするためにユーザにより操作される。一方、前記自動伴奏を行うことが選択されていない場合には、前記コード判別領域で押鍵された鍵に対応する音のうち、最低音をベース音色で演奏する設定を有効又は無効にするためにユーザにより操作されるスイッチである。
【００２３】
前記自動伴奏を行うことが選択され、且つ第２のAUTOBASSボタン２３の裏面側に設けられたＬＥＤ２３ａが消灯しているときに第２のAUTOBASSボタン２３が操作されると、自動伴奏のベースパートの演奏を行う設定を有効にすると共に、ＬＥＤ２３ａを点灯する。
一方、前記自動伴奏を行うことが選択され、且つＬＥＤ２３ａが点灯しているときに第２のAUTOBASSボタン２３が操作されると、自動伴奏のベースパートの演奏を行う設定を無効にすると共に、ＬＥＤ２３ａを消灯する。
【００２４】
また、前記自動伴奏を行うことが選択されず、且つＬＥＤ２３ａが消灯しているときに第２のAUTOBASSボタン２３が操作されると、前記コード判別領域で押鍵された鍵が発音する音のうち、最低音をベース音色で演奏する設定を有効にすると共に、ＬＥＤ２３ａを点灯する。
一方、前記自動伴奏を行うことが選択されず、且つＬＥＤ２３ａが点灯しているときに第２のAUTOBASSボタン２３が操作されると、前記コード判別領域で押鍵された鍵が発音する音のうち、最低音をベース音色で演奏する設定を無効にすると共に、ＬＥＤ２３ａを消灯する。
このように、本実施形態の電子楽器では、前記自動伴奏のベースパートの演奏を行う設定を有効にするか否か、又は前記コード判別領域で押鍵された鍵が発音する音のうち、最低音をベース音色で演奏する設定を有効にするか否かを、ＬＥＤ２３ａの点灯状態により、ユーザに報知するようにしている。また、電子楽器の内部では、この設定が有効であるか否かを、例えば、ＲＡＭ３等に設定されるフラグを用いて判別するようにしている。
なお、以下の説明では、自動伴奏のベースパートの演奏を行う設定と、前記コード判別領域で押鍵された鍵に基づく音をベース音色で演奏する設定とを、必要に応じて、ベースパートの楽音に関わる設定と総称する。
【００２５】
ＭＣＳボタン２４は、前記コード判別領域として設定された鍵のうち、コードの構成音に対応する鍵の一部を押鍵するだけで、所望するコードが得られるようにする設定を有効又は無効にするためにユーザにより操作されるスイッチである。
ＭＣＳボタン２４の裏面側に設けられたＬＥＤ２４ａが消灯しているときにＭＣＳボタン２４が操作されると、コードの構成音に対応する鍵の一部を押鍵するだけで、所望するコードが得られるようにする設定を有効にすると共に、ＬＥＤ２４ａを点灯する。
一方、ＬＥＤ２４ａが点灯しているときにＭＣＳボタン２４が操作されると、コードの構成音に対応する鍵の一部を押鍵するだけで、所望するコードが得られるようにする設定を無効にする（すなわち、コードの構成音に対応する全ての鍵を押鍵しなければ、所望するコードが得られないようにする）と共に、ＬＥＤ２４ａを消灯する。
このように、本実施形態の電子楽器では、コードの構成音に対応する鍵の一部を押鍵するだけで、所望するコードが得られるようにする設定を有効にするか否かを、ＬＥＤ２４ａの点灯状態により、ユーザに報知するようにしている。また、電子楽器の内部では、この設定が有効であるか否かを、例えば、ＲＡＭ３等に設定されるフラグを用いて判別するようにしている。
【００２６】
以上のようなＭＣＳボタン２４を利用してメジャーコードを得るようにする場合、例えば、最低１音の鍵を押鍵することで、コードを判別することが可能になる。具体的に、「Ｃ」に対応する鍵と、「Ｃ」及び「Ｅ」に対応する鍵と、「Ｃ」及び「Ｇ」に対応する鍵と、「Ｃ」、「Ｅ」、及び「Ｇ」に対応する鍵とのうち、何れかを押鍵することにより、Ｃメジャーコードが得られる。
【００２７】
また、マイナーコードや、セブンスコード等を得るようにする場合には、最低２音の鍵を押鍵することで、コードを判別することが可能になる。具体的に、「Ｃ」及び「Ｅｂ」に対応する鍵と、「Ｃ」、「Ｅｂ」、及び「Ｇ」に対応する鍵とのうち、何れかを押鍵することにより、Ｃマイナーコードが得られる。また、「Ｃ」及び「Ｂｂ」に対応する鍵と、「Ｃ」、「Ｅ」、及び「Ｂｂ」に対応する鍵と、のうち、「Ｃ」、「Ｇ」、及び「Ｂｂ」に対応する鍵と、「Ｃ」、「Ｅ」、「Ｇ」、及び「Ｂｂ」に対応する鍵とのうち、何れかを押鍵することにより、Ｃセブンス（７ｔｈ）コードが得られる。
【００２８】
MEMORYボタン２５は、前記コード判別領域として設定されている鍵の押鍵状態を、その鍵を離鍵した後も維持する設定を有効又は無効にするためにユーザにより操作されるスイッチである。すなわち、このMEMORYボタン２５がオンされている場合には、鍵を押し続けなくても、その鍵に対応する音を発音し続けることができるようになる。
MEMORYボタン２５の裏面側に設けられたＬＥＤ２５ａが消灯しているときにMEMORYボタン２５が操作されると、鍵の押鍵状態を離鍵後も維持する設定を有効にすると共に、ＬＥＤ２５ａを点灯する。
一方、ＬＥＤ２５ａが点灯しているときにMEMORYボタン２５が操作されると、鍵の押鍵状態を離鍵後も維持する設定を無効にする（すなわち、鍵の押鍵状態を離鍵後に維持しないようにする）と共に、ＬＥＤ２５ａを消灯する。
このように、本実施形態の電子楽器では、鍵の押鍵状態を離鍵後も維持する設定が有効であるか否かを、ＬＥＤ２５ａの点灯及び消灯により、ユーザに報知するようにしている。一方、電子楽器の内部では、この設定が有効であるか否かを、例えば、ＲＡＭ３等に記憶されるフラグを用いて判別するようにしている。
【００２９】
なお、本実施形態では、ＭＣＳボタン２４がオンされている場合に、MEMORYボタン２５がオンされると、次のコードが判別されるまで、すでに判別されているコードを維持するようにしている。一方、ＭＣＳボタン２４がオフされている場合に、MEMORYボタン２５がオンされると、次の押鍵があるまで、離鍵された鍵の押鍵状態を維持するようにしている。
【００３０】
EASYボタン２６は、前述した３つの設定（すなわち、ベースパートの楽音に関わる設定と、コードの構成音に対応する鍵の一部を押鍵するだけで所望するコードが得られるようにする設定と、鍵の押鍵状態を離鍵後も維持する設定）を一括して有効にするか否かを指定するためにユーザにより操作されるスイッチである。
【００３１】
EASYボタン２６の裏面側に設けられたＬＥＤ２６ａが消灯しているときにEASYボタン２６が操作されると、前述した３つの設定を一括して有効にする。そして、ＬＥＤ２６ａを点灯すると共に、ＬＥＤ２２ａ〜２５ａが消灯している場合には、その消灯しているＬＥＤ２２ａ〜２５ａを点灯する。
一方、ＬＥＤ２６ａが消灯しているときにEASYボタン２６が操作されると、前述した３つの設定を一括して無効にする。そして、ＬＥＤ２６ａを消灯すると共に、ＬＥＤ２２ａ〜２５ａが点灯している場合には、その点灯しているＬＥＤ２２ａ〜２５ａを消灯する。
【００３２】
また、第１のAUTOBASSボタン２２及び第２のAUTOBASSボタン２３の何れか一方と、ＭＣＳボタン２４と、MEMORYボタン２５との少なくとも何れか１つが、オンからオフになった場合には、ＬＥＤ２６ａを消灯する。
さらに、ＬＥＤ２６ａが消灯しているときに、第１のAUTOBASSボタン２２及び第２のAUTOBASSボタン２３の何れか一方と、ＭＣＳボタン２４と、MEMORYボタン２５とがオンになった場合には、ＬＥＤ２６ａを点灯する。
【００３３】
以上のように本実施形態では、ＬＥＤ２６ａが点灯しているときに、第１のAUTOBASSボタン２２、第２のAUTOBASSボタン２３、ＭＣＳボタン２４、及びMEMORYボタン２５の何れかがオフされた場合には、そのオフされたボタンに対応するＬＥＤを消灯すると共に、ＬＥＤ２６ａを消灯させる。また、ＬＥＤ２６ａが消灯しているときに、第１のAUTOBASSボタン２２及び第２のAUTOBASSボタン２３の何れか一方と、ＭＣＳボタン２４と、MEMORYボタン２５とが全てオンされると、そのオンされたボタンに対応するＬＥＤを点灯すると共に、ＬＥＤ２６ａを点灯させる。このようにすることにより、ＬＥＤ２２ａ〜２５ａの表示内容とＬＥＤ２６ａの表示内容とに矛盾が生じないようにしている。
【００３４】
図３は、第１のAUTOBASSボタン２２、第２のAUTOBASSボタン２３、ＭＣＳボタン２４、MEMORYボタン２５、及びEASYボタン２６の操作状態と、これらのボタン２２〜２６に対応するＬＥＤ２２ａ〜２６ａの点灯状態との関係を示す図である。
図３において、状態（STATUS BEFORE）３１は、欄３３に示されているボタンが操作される前の状態を示し、状態（STATUS AFTER）３２は、欄３３に示されているボタンが操作された後の状態を示す。
具体的に「１」は、そのボタンに対応するＬＥＤが点灯することを示し、「０」は、そのボタンに対応するＬＥＤが消灯することを示す。ただし、第１のAUTOBASSボタン２２及び第２のAUTOBASSボタン２３（AUTO BASS）については、「１」は、第１のAUTOBASSボタン２２に対応するＬＥＤ２２ａが点灯することを示し、「２」は、第２のAUTOBASSボタン２３に対応するＬＥＤ２３ａが点灯することを示し、「０」は、ＬＥＤ２２ａ、２３ａの何れもが消灯することを示す。
【００３５】
なお、図３では、ＭＣＳボタン２４を「ＭＣＳ」と表し、MEMORYボタン２５を「MEMORY」と表し、第１のAUTOBASSボタン２２及び第２のAUTOBASSボタン２３を、それぞれ「AUTOBASS1」及び「AUTO BASS2」と表している。
【００３６】
図３において、本実施形態では、第１のAUTOBASSボタン２２、第２のAUTOBASSボタン２３、ＭＣＳボタン２４、MEMORYボタン２５、及びEASYボタン２６が、状態３１ａ〜３１ｋから状態３２ａ〜３２ｋになることが特徴の一つである。
例えば、状態３１ａでは、ＭＣＳボタン２４に対応するＬＥＤ２４ａと、MEMORYボタン２５に対応するＬＥＤ２５ａとが点灯し、第１のAUTOBASSボタン２２に対応するＬＥＤ２２ａと、第２のAUTOBASSボタン２３に対応するＬＥＤ２３ａと、EASYボタン２６に対応するＬＥＤ２６ａとが消灯している。この状態３１ａで、第１のAUTOBASSボタン（欄３３内の「AUTO BASS1」）２２がオンされると、状態３２ａに遷移する。
【００３７】
この状態３２ａでは、ＭＣＳボタン２４に対応するＬＥＤ２４ａと、MEMORYボタン２５に対応するＬＥＤ２５ａとに加え、第１のAUTOBASSボタン２２に対応するＬＥＤ２２ａが点灯する。したがって、ＬＥＤ２２ａ〜２５ａの表示内容とＬＥＤ２６ａの表示内容とが矛盾しないように、EASYボタン２６に対応するＬＥＤ２６ａも点灯するようにする。
【００３８】
また、例えば、状態３１ｉでは、ＭＣＳボタン２４に対応するＬＥＤ２４ａと、MEMORYボタン２５に対応するＬＥＤ２５ａと、第２のAUTOBASSボタン２３に対応するＬＥＤ２３ａと、EASYボタン２６に対応するＬＥＤ２６ａとが点灯し、第１のAUTOBASSボタン２２に対応するＬＥＤ２２ａが消灯している。この状態３１ｉで、ＭＣＳボタン（欄３３内の「ＭＣＳ」）２４がオンされると、状態３２ｉに遷移する。
この状態３２ｉでは、ＭＣＳボタン２４に対応するＬＥＤ２４ａが消灯する。したがって、ＬＥＤ２２ａ〜２５ａの表示内容とＬＥＤ２６ａの表示内容とが矛盾しないように、EASYボタン２６に対応するＬＥＤ２６ａも消灯するようにする。
【００３９】
図２に説明を戻し、INTROENDINGボタン２７は、自動伴奏のイントロやエンディングを行うか否かを指定するためにユーザにより操作されるスイッチである。
STATSTOPボタン２８は、リズム選択スイッチ群２１で選択されたリズムでの発音を開始又は終了するためにユーザにより操作されるスイッチである。
RHYTHMTEMPOボタン２９は、テンポを変更するためにユーザにより操作されるスイッチであり、テンポを上げる場合に操作されるボタン２９ａと、テンポを下げる場合に操作されるボタン２９ｂとを有する。
なお、操作パネル１０に配設される操作子は、前述したものに限定されないということは言うまでもない。
また、リズム選択スイッチ群２１、INTROENDINGボタン２７、STATSTOPボタン２８、及びRHYTHMTEMPOボタン２９の操作に基づく設定内容をユーザに報知するために、これらのボタン２１、２７〜２９に対応するＬＥＤを設けるようにしてもよいということも言うまでもない。
【００４０】
（パネルスキャン回路）
パネルスキャン回路９は、操作パネル１０に設けられている各種操作子のスキャン処理を行うためのものである。
【００４１】
（ＣＰＵ）
ＣＰＵ１は、本実施形態の電子楽器の全体を統括制御するためのものであり、フラッシュメモリ２に格納されている制御プログラムに従って、ＲＡＭ３をワークメモリとして利用しながら、例えば次のような処理を行う。
【００４２】
ＣＰＵ１は、パネルスキャン回路９によりスキャン処理された結果を入力し、操作パネル１０の操作内容を識別する。
また、ＣＰＵ１は、キースキャン回路７によりスキャン処理された結果を入力して、鍵の操作内容（押鍵及び離鍵）を識別する。
そして、その鍵の操作内容（鍵の押鍵及び離鍵）に基づく演奏データや、操作パネル１０の操作内容に基づくデータを楽音発生部１１に割り当てる処理を行う。
【００４３】
この演奏データは、前記各鍵の操作が押鍵（キーオン）であるか離鍵（キーオフ）であるかを示すキーオン／オフ信号や、音高データである音高や、音量制御データであるベロシティデータや、演奏のテンポの絶対値を示すテンポ情報（以下、必要に応じて単にテンポ情報と称する）や、各鍵の動作スピードに関するキータッチレスポンス信号などから構成される。
【００４４】
また、ＣＰＵ１は、前記自動伴奏スイッチの操作内容に基づき、フラッシュメモリ２に記憶されている自動伴奏データを読み出す。その後、前記自動伴奏開始スイッチが操作されると、読み出した自動伴奏データを楽音発生部１１に割り当てる。これにより、自動伴奏データに基づく自動伴奏の楽音が発音されるようになる。このように、本実施形態の電子楽器では、ＣＰＵ１が、自動伴奏データの再生を行うシーケンサの役割の一部を果たすようにしている。
【００４５】
さらに、ＣＰＵ１は、前記レジストレーション設定スイッチを用いて設定されたレジストレーションの内容をフラッシュメモリ２に記憶する。その後、前記レジストレーション実行スイッチが操作されると、操作されたレジストレーション実行スイッチに応じたレジストレーションの内容をフラッシュメモリ２から読み出し、読み出したレジストレーションの内容に従った演奏が行われるように電子楽器の設定を変更する。
なお、ＣＰＵ１は、前述したものの他に種々の処理を行うということは言うまでもない。
【００４６】
（フラッシュメモリ）
フラッシュメモリ２は、読み出し可能なメモリであり、ＣＰＵ１の制御プログラムの他、レジストレーションデータや、自動伴奏データ等、種々のデータを格納する。
【００４７】
（ＲＡＭ）
ＲＡＭ３は読み書きが可能なメモリであり、ＣＰＵ１のプログラム実行過程において各種の必要なデータを一時的に記憶したり、編集可能なパラメータデータを記憶したりする記憶領域を有している。このＲＡＭ３の一部あるいは全部はバッテリーバックアップされており、必要なデータを、電子楽器の電源がオフにされても保持しておくことができるようにしている。
【００４８】
（波形メモリ）
波形メモリ１２は、音色や音域に応じた種々の楽音波形データを記憶している。
（楽音発生部）
楽音発生部１１は、前述したようにしてＣＰＵ１により割り当てられた演奏データや自動伴奏データと、操作パネル１０の操作内容に基づくデータとに基づいて、波形メモリ１２から必要な楽音波形データを読み出し、所望のデジタル楽音信号を発生させる。
【００４９】
（Ｄ／Ａ変換部）
Ｄ／Ａ変換部１３は、楽音発生部１１で発生されたデジタル楽音信号をアナログ楽音信号に変換する機能を有する。
（アナログ信号処理部）
アナログ信号処理部１４は、Ｄ／Ａ変換部１３でＤ／Ａ変換されたアナログ楽音信号に対し、フィルタ処理（ノイズ除去処理）や音質調整、信号レベル（ゲイン）調整等を施す機能を有する。
【００５０】
（パワーアンプ）
パワーアンプ１５は、アナログ信号処理部１４でノイズ除去処理が施されたアナログ楽音信号に対し、増幅処理を施して適当なレベルに増幅する。
（スピーカ部）
スピーカ部１６は、パワーアンプ１５で増幅されたアナログ楽音信号を可聴信号として放音するためのものであり、１個あるいは複数個で構成されている。
【００５１】
（外部記憶装置装着部）
外部記憶媒体装着部４は、例えば、ＣＤ−ＲＷドライブである。そして、ＣＰＵ１は、ＣＤ−ＲＷドライブに装着されたＣＤ−ＲＯＭに記憶されている制御プログラムや各種データを読み出して必要な処理を行う。なお、外部記憶媒体装着部４は、ＣＤ−ＲＷドライブに限定されず、フレキシブルディスク（ＦＤ）装置や、光磁気ディスク（ＭＯ）装置などであってもよいということは言うまでもない。
【００５２】
（外部入出力用インターフェース部）
外部入出力用インターフェース部５は、外部装置との間で、演奏情報などのデータのやり取りを行うためのものである。具体的に、この外部入出力用インターフェース部５は、例えばＭＩＤＩ（Musical Instrument Digital Interface）である。
【００５３】
次に、図４〜図１３を参照しながら、本実施形態の電子楽器に配設されたＣＰＵ１により実行される処理の一例を説明する。
【００５４】
図４は、ＣＰＵ１により実行されるメインルーチンの処理の一例を説明するフローチャートである。
まず、ステップＳ１において、初期化処理を実行する。
次に、ステップＳ２において、イベントが発生したか否かを判定する。この判定の結果、イベントが発生した場合には、ステップＳ３に進み、イベント処理を実行する。このイベント処理の詳細については、図５を参照しながら後述する。一方、イベントが発生していない場合には、このステップＳ３を省略してステップＳ４に進む。
そして、ステップＳ４において、時変数処理を実行する。この時変数処理の詳細については、図１３を参照しながら後述する。
【００５５】
次に、図５のフローチャートを参照しながら、イベント処理の詳細の一例を説明する。
まず、ステップＳ１１において、発生したイベントが鍵盤８の押鍵又は離鍵に関するイベント（ｋｅｙイベント）か否かを判定する。この判定の結果、鍵盤８の押鍵又は離鍵に関するイベント（ｋｅｙイベント）である場合には、ステップＳ１２に進み、ｋｅｙ処理を実行して、図４に示したメインフローチャートに戻る。このｋｅｙ処理の詳細については、図１１を参照しながら後述する。
ステップＳ１１において、鍵盤８の押鍵又は離鍵に関するイベント（ｋｅｙイベント）でないと判定した場合には、ステップＳ１３に進み、発生したイベントが操作パネル１０に関するイベント（パネルイベント）か否かを判定する。この判定の結果、操作パネル１０に関するイベント（パネルイベント）である場合には、ステップＳ１４に進み、パネル処理を実行して、図４に示したメインフローチャートに戻る。このパネル処理の詳細については、図６〜図１０を参照しながら後述する。
【００５６】
ステップＳ１３において、操作パネル１０に関するイベントでないと判定した場合には、ステップＳ１５に進み、その他の処理を実行して、図４に示したメインフローチャートに戻る。
【００５７】
図６は、図５のステップＳ１４におけるパネル処理の詳細の一例を説明するフローチャートである。
まず、ステップＳ２１において、EASYボタン２６の操作であるか否かを判定する。この判定の結果、EASYボタン２６の操作である場合には、ステップＳ２２に進み、Easy処理を実行して、図４に示したメインフローチャートに戻る。このEasy処理の詳細については、図７を参照しながら後述する。
【００５８】
ステップＳ２１において、EASYボタン２６の操作でないと判定した場合には、ステップＳ２３に進み、前記Songボタンの操作であるか否かを判定する。この判定の結果、前記Songボタンの操作である場合には、ステップＳ２４に進み、Song処理を実行して、図４に示したメインフローチャートに戻る。このSong処理の詳細については、図８を参照しながら後述する。
【００５９】
ステップＳ２３において、前記Songボタンの操作でないと判定した場合には、ステップＳ２５に進み、前記Styleボタンの操作であるか否かを判定する。この判定の結果、前記Styleボタンの操作である場合には、ステップＳ２６に進み、Style処理を実行して、図４に示したメインフローチャートに戻る。このStyle処理の詳細については、図９を参照しながら後述する。
【００６０】
ステップＳ２５において、前記Styleボタンの操作でないと判定した場合には、ステップＳ２７に進み、前記Registボタンの操作であるか否かを判定する。この判定の結果、前記Registボタンの操作である場合には、ステップＳ２８に進み、Regist処理を実行して、図４に示したメインフローチャートに戻る。このRegist処理の詳細については、図１０を参照しながら後述する。
ステップＳ２７において、前記Registボタンの操作でないと判定した場合には、ステップＳ２９に進み、その他の処理を実行して、図４に示したメインフローチャートに戻る。
【００６１】
図７は、図６のステップＳ２２のEasy処理の詳細の一例を説明するフローチャートである。
まず、ステップＳ３１において、EASYボタン２６が操作される前のEASYボタン２６の操作状態がオンであったか否かを判定する。この判定の結果、EASYボタン２６の操作状態がオンであった場合には、ステップＳ３２に進み、コードの構成音に対応する鍵の一部を押鍵するだけで、そのコードに対応する楽音が得られるようにする設定を無効にする（すなわち、コードの構成音に対応する全ての鍵を押鍵しなければ、そのコードに対応する楽音が得られないようにする）と共に、ＭＣＳボタン２４に対応して設けられているＬＥＤ２４ａを消灯する。
【００６２】
次に、ステップＳ３３において、前記コード判別領域として設定されている鍵の押鍵状態を、その鍵を離鍵した後も維持する設定を無効にする（すなわち、鍵の押鍵状態を離鍵後に維持しないようにする）と共に、MEMORYボタン２５に対応して設けられているＬＥＤ２５ａを消灯する。
次に、ステップＳ３４において、前記ベースパートの楽音に関わる設定を無効にすると共に、第１のAUTOBASSボタン２２及び第２のAUTOBASSボタン２３に対応して設けられているＬＥＤ２２ａ、２３ａを消灯する。
次に、ステップＳ３５において、EASYボタン２６に対応して設けられているＬＥＤ２６ａを消灯して、図４に示したメインフローチャートに戻る。
【００６３】
ステップＳ３１において、EASYボタン２６の操作状態がオフであったと判定した場合には、ステップＳ３６に進み、コードの構成音に対応する鍵の一部を押鍵するだけで、そのコードに対応する楽音が得られるようにする設定を有効にすると共に、ＭＣＳボタン２４に対応して設けられているＬＥＤ２４ａを点灯する。
【００６４】
次に、ステップＳ３７において、前記コード判別領域として設定されている鍵の押鍵状態を、その鍵を離鍵した後も維持する設定を有効にすると共に、MEMORYボタン２５に対応して設けられているＬＥＤ２５ａを点灯する。
次に、ステップＳ３８において、前記ベースパートの楽音に関わる設定を有効にすると共に、第１のAUTOBASSボタン２２に対応して設けられているＬＥＤ２２ａを点灯する。
【００６５】
なお、ここでは、第１のAUTOBASSボタン２２の操作状態をオンにして、ＬＥＤ２２ａを点灯するようにしたが、第２のAUTOBASSボタン２３の操作状態をオンにして、ＬＥＤ２３ａを点灯するようにしてもよい。
次に、ステップＳ３５において、EASYボタン２６に対応して設けられているＬＥＤ２６ａを点灯して、図４に示したメインフローチャートに戻る。
【００６６】
図８は、図６のステップＳ２４のSong処理の詳細の一例を説明するフローチャートである。
まず、ステップＳ４１において、ステップＳ２３で操作されたと判定された前記Songボタンに対応付けて設定されている楽曲（ソング）におけるレジストレーションデータをＲＡＭ３に展開する。
【００６７】
次に、ステップＳ４２において、前記レジストレーションデータに基づき、EASYボタン２６に対応して設けられているＬＥＤ２６ａを点灯又は消灯する。具体的に説明すると、前記レジストレーションデータに基づき、第１のAUTOBASSボタン２２及び第２のAUTOBASSボタン２３の何れか一方と、ＭＣＳボタン２４と、MEMORYボタン２５とを全てオンする必要がある場合には、ＬＥＤ２６ａを点灯し、そうでない場合には、ＬＥＤ２６ａを消灯する。なお、このとき、前記レジストレーションデータに基づいて、ボタン２２〜２５のうち、オンする必要があるボタンを判定し、オンする必要があるボタンに対応して設けられているＬＥＤを点灯し、オンする必要がないボタンに対応して設けられているＬＥＤを消灯するのが好ましい。
次に、ステップＳ４３において、前記レジストレーションデータに基づく演奏（伴奏）ができるように、電子楽器の設定を行って、図４に示したメインフローチャートに戻る。
【００６８】
図９は、図６のステップＳ２６のStyle処理の詳細の一例を説明するフローチャートである。
まず、ステップＳ５１において、ステップＳ２５で操作されたと判定された前記Styleボタンに対応付けて設定されている演奏スタイルにおけるレジストレーションデータをＲＡＭ３に展開する。
【００６９】
次に、ステップＳ５２において、前記レジストレーションデータに基づき、EASYボタン２６に対応して設けられているＬＥＤ２６ａを点灯又は消灯する。具体的に説明すると、前記レジストレーションデータに基づき、第１のAUTOBASSボタン２２及び第２のAUTOBASSボタン２３の何れか一方と、ＭＣＳボタン２４と、MEMORYボタン２５とを全てオンする必要がある場合には、ＬＥＤ２６ａを点灯し、そうでない場合には、ＬＥＤ２６ａを消灯する。なお、このとき、前記レジストレーションデータに基づいて、ボタン２２〜２５のうち、オンする必要があるボタンを判定し、オンする必要があるボタンに対応して設けられているＬＥＤを点灯し、オンする必要がないボタンに対応して設けられているＬＥＤを消灯するのが好ましい。
次に、ステップＳ５３において、前記レジストレーションデータに基づく演奏（伴奏）ができるように、電子楽器の設定を行って、図４に示したメインフローチャートに戻る。
【００７０】
図１０は、図６のステップＳ２８のRegist処理の詳細の一例を説明するフローチャートである。
まず、ステップＳ６１において、操作された前記Registボタンに対応して設定されているレジストレーションデータをＲＡＭ３に展開する。
【００７１】
次に、ステップＳ６２において、前記レジストレーションデータに基づき、EASYボタン２６に対応して設けられているＬＥＤ２６ａを点灯又は消灯する。具体的に説明すると、前記レジストレーションデータに基づき、第１のAUTOBASSボタン２２及び第２のAUTOBASSボタン２３の何れか一方と、ＭＣＳボタン２４と、MEMORYボタン２５とを全てオンする必要がある場合には、ＬＥＤ２６ａを点灯し、そうでない場合には、ＬＥＤ２６ａを消灯する。なお、このとき、前記レジストレーションデータに基づいて、ボタン２２〜２５のうち、オンする必要があるボタンを判定し、オンする必要があるボタンに対応して設けられているＬＥＤを点灯し、オンする必要がないボタンに対応して設けられているＬＥＤを消灯するのが好ましい。
次に、ステップＳ６３において、前記レジストレーションデータに基づく演奏（伴奏）ができるように、電子楽器の設定を行って、図４に示したメインフローチャートに戻る。
【００７２】
図１１は、図５のステップＳ１２のＫｅｙ処理の詳細の一例を説明するフローチャートである。
まず、ステップＳ７１において、押鍵又は離鍵された鍵（Ｋｅｙ）がコード判別領域として設定された鍵であるか否かを判定する。この判定の結果、押鍵又は離鍵された鍵（Ｋｅｙ）がコード判別領域として設定された鍵である場合には、ステップＳ７２に進み、コード処理を実行して、図４に示したメインフローチャートに戻る。このコード処理の詳細については、図１２を参照しながら後述する。
【００７３】
一方、押鍵又は離鍵された鍵（Ｋｅｙ）がコード判別領域として設定された鍵でない場合には、ステップＳ７３に進み、押鍵又は離鍵された鍵に基づく発音又は消音処理を実行して、図４に示したメインフローチャートに戻る。
【００７４】
図１２は、図１１のステップＳ７２のコード処理の詳細の一例を説明するフローチャートである。
まず、ステップＳ８１において、ＭＣＳボタン２４がオンであるか否かを判定する。この判定の結果、ＭＣＳボタン２４がオンである場合には、ステップＳ８２に進み、ＭＣＳコード判別処理を行う。このコード判別処理では、コードの構成音に対応する鍵の一部の押鍵に基づいてコードを判別する。ただし、コードの構成音に対応する鍵の全部が押鍵された場合には、それら押鍵された鍵に基づいてコードを判別する。この処理の結果（判別したコード）は、例えば、ＲＡＭ３等に設定されるフラグを用いて記憶しておく。
一方、ＭＣＳボタン２４がオフである場合には、ステップＳ８３に進み、通常コード判別処理を行う。この通常コード判別処理では、コードの構成音に対応する全ての鍵の押鍵に基づいてコードを判別し、前述したＭＣＳコード判別処理のように、コードの構成音に対応する鍵の一部の押鍵だけでは、当該コードを判別することができない。
【００７５】
以上のようにしてコードが判別されると、ステップＳ８４において、MEMORYボタン２５がオンであるか否かを判定する。この判定の結果、MEMORYボタン２５がオンである場合には、ステップＳ８５に進む。ステップＳ８５において、ＭＣＳボタン２４がオフされている場合には、押鍵された鍵を、離鍵後も押鍵状態に維持するための処理を行い、ＭＣＳボタン２４がオンされている場合には、次のコードが判別されるまで、すでに判別されているコードの発音状態を維持するための処理を行う。この処理の結果は、例えば、ＲＡＭ３等に設定されるフラグを用いて記憶しておく。
【００７６】
ステップＳ８４において、MEMORYボタン２５がオフである場合には、ステップＳ８５を省略して、ステップＳ８６に進む。そして、ステップＳ８６において、第１のAUTOBASSボタン２２又は第２のAUTOBASSボタン２３がオンであるか否かを判定する。この判定の結果、第１のAUTOBASSボタン２２又は第２のAUTOBASSボタン２３がオンである場合には、ステップＳ８７に進み、前記ベースパートの楽音に関わる設定に基づく処理を行って、図４に示したメインフローチャートに戻る。この処理の結果は、例えば、ＲＡＭ３等に設定されるフラグを用いて記憶しておく。
【００７７】
なお、前述したように、前記ベースパートの楽音に関わる設定は、前記自動伴奏を行うことが選択されている場合には、自動伴奏のベースパートの演奏を行う設定を言う。一方、前記自動伴奏を行うことが選択されず、且つ第１のAUTOBASSボタン２２がオンである場合には、前記コード判別領域として設定された鍵の押鍵に基づいて判別されたコードのルート（根音）をベース音色で演奏する設定を言う。さらに、前記自動伴奏を行うことが選択されず、且つ第２のAUTOBASSボタン２３がオンである場合には、前記コード判別領域で押鍵された鍵に対応する音のうち、最低音をベース音色で演奏する設定を言う。
【００７８】
ステップＳ８６において、第１のAUTOBASSボタン２２又は第２のAUTOBASSボタン２３がオンでない場合には、ステップＳ８７を省略して、図４に示したメインフローチャートに戻る。
【００７９】
図１３は、図４のステップＳ４の時変数処理の詳細の一例を説明するフローチャートである。
まず、ステップＳ９１において、操作パネル１０の操作内容に応じて、発音させる楽音の音を変化させる音変化処理を行う。音変化処理の具体例としては、発音させる楽音にエコーやビブラートを施すことが挙げられる。
次に、ステップＳ９２において、操作パネル１０の操作内容に応じて、自動伴奏を実行する自動伴奏処理を実行して、図４に示したメインフローチャートに戻る。具体的には、前記自動伴奏呼び出しスイッチの操作に基づいて呼び出された自動伴奏データに基づく自動伴奏を、前記自動伴奏開始スイッチの操作に基づいて開始する。前述したように、自動伴奏を開始するに際し、第１のAUTOBASSボタン２２又は第２のAUTOBASSボタン２３がオンされている場合には、自動伴奏のベースパートの演奏を行うようにする。
【００８０】
以上のように本実施形態では、ベースパートの楽音に関わる設定と、コードの構成音に対応する鍵の一部を押鍵するだけで所望するコードが得られるようにする設定と、鍵の押鍵状態を離鍵後も維持する設定とを、一括して有効又は無効にするためにユーザにより操作されるEASYボタン２６を設けると共に、EASYボタン２６に対応してＬＥＤ２６ａを設けるようにし、前記３つの設定が全て有効である場合にＬＥＤ２６ａを点灯し、そうでない場合にＬＥＤ２６ａを消灯するようにしたので、前記３つの設定が有効であるか否かをユーザに容易に知らせることができる。
また、ＬＥＤ２２ａ〜２５ａの表示状態と、ＬＥＤ２６ａの表示状態とに矛盾が生じないようにしたので、ユーザが電子楽器の設定内容がどのようなものであるのかが分からなくなってしまうことを可及的に防止することができる。
【００８１】
なお、本実施形態では、第１のAUTOBASSボタン２２及び第２のAUTOBASSボタン２３の何れか一方と、ＭＣＳボタン２４と、MEMORYボタン２５とが全てオンされた場合にのみ、EASYボタン２６をオンするようにし、その他の場合には、EASYボタン２６をオフするようにしたが、必ずしもこのようにする必要はない。例えば、第２のAUTOBASSボタン２３、ＭＣＳボタン２４、及びMEMORYボタン２５の全部がオフされた場合にのみEASYボタン２６をオフするようにし、その他の場合には、EASYボタン２６をオンするようにしてもよい。
【００８２】
また、本実施形態では、ＬＥＤ２２ａ〜２６ａの点灯及び消灯により、前述した設定が有効であるか否かをユーザに報知するようにしたが、前述した設定が有効であるか否かを、必ずしもＬＥＤを用いて報知する必要はない。例えば、操作パネル１０に設けられている前記ＬＣＤに、前述した設定が有効であるか否かを表示するようにしてもよい。
【００８３】
さらに、本実施形態のように、第１のAUTOBASSボタン２２、第２のAUTOBASSボタン２３、ＭＣＳボタン２４、及びMEMORYボタン２５を電子楽器に設けるようにすれば、前述した設定を個別に有効及び無効にすることができると共に、各設定が有効であるか否かをＬＥＤ２２ａ〜２５ａにより個別に遊技者に報知することができ好ましい。しかしながら、前述した設定を電子機器の内部で有効及び無効にすることができれば、これらのボタン２２〜２５を必ずしも設ける必要はない。この場合、前述した設定を個別に有効及び無効にすることを電子楽器に実行させないようにしてもよいし、前記ボタン２２〜２５に相当する役割を既存の操作子（例えば鍵盤８）に持たせることにより、前述した設定を個別に有効及び無効にするようにしてもよい。
なお、以上の説明においては、説明の都合上、「設定を有効にする」及び「設定を無効にする」という表現を用いたが、「設定を有効にする」を「設定する」に置き換えることができ、「設定を無効にする」を「設定を解除する」に置き換えることができる。
【００８４】
（本発明の他の実施形態）
前述した実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
また、前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００８５】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−フラッシュメモリ、磁気テープ、不揮発性のメモリカード、フラッシュメモリ等を用いることができる。
【００８６】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【００８７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【符号の説明】
【００８８】
１  ＣＰＵ
２  フラッシュメモリ
３  ＲＡＭ
４  外部記憶媒体装着部
５  外部入出力用インターフェース部
６  信号バス
７  キースキャン回路
８  鍵盤
９  パネルスキャン回路
１０  操作パネル
１１  楽音発生部
１２  波形メモリ
１３  Ｄ／Ａ変換部
１４  アナログ信号処理部
１５  パワーアンプ
１６  スピーカ部
２２  第１のAUTOBASSボタン
２３  第２のAUTOBASSボタン
２４  ＭＣＳボタン
２５  MEMORYボタン
２６  EASYボタン
【図１】
2010204695.tif 000003
【図２】
2010204695.tif 000004
【図３】
2010204695.tif 000005
【図４】
2010204695.tif 000006
【図５】
2010204695.tif 000007
【図６】
2010204695.tif 000008
【図７】
2010204695.tif 000009
【図８】
2010204695.tif 000010
【図９】
2010204695.tif 000011
【図１０】
2010204695.tif 000012
【図１１】
2010204695.tif 000013
【図１２】
2010204695.tif 000014
【図１３】
2010204695.tif 000015